(57)【特許請求の範囲】
【請求項１】
地中に埋設される地中パイプであって、屋外の空気を自らの内部に導入し、前記空気を地中熱と熱交換させる地中パイプと、
屋外の地盤面から上方に突設された筒状体であって、自らの下方部分が前記地中パイプの上方部分と直接に又は接続部を介して接続され且つ固定されており、自らの内部に前記地中パイプから導入した空気を流通させる流路を備えており、自らの側面又は上方の端部に前記流路からの空気を自らの上方、側方、下方、斜め下方向、又は斜め上方向に放出する１つ又は複数の放出口を備えている筒状体と、
前記筒状体の内部に配置される送風機であって、屋外の空気を前記地中パイプ内に導入し、前記地中パイプ内の空気を前記筒状体内の流路に導入して流通させ、前記流通した空気を前記放出口から外部に放出する送風機と、
を備え、前記筒状体の外側には、前記筒状体を覆う、岩、庭石、又は装飾用立体造形物が配置されており、前記岩、庭石、又は装飾用立体造形物には、前記筒状体からの空気を外部に放出する隙間又は開口部が配置又は形成されている、自然力を利用した冷温風供給装置。
【発明の詳細な説明】
【技術分野】
【０００１】
本発明は地中熱を利用した冷温風供給装置に関する。
【背景技術】
【０００２】
従来より、地中にパイプを垂直方向に埋設しておき（パイプの一部が水平方向に折り曲げられて埋設される場合もある）、屋外から導入した空気を前記パイプ内に導入して地中熱と熱交換し、前記熱交換した空気を建物の各部屋の内部に供給するようにした、建物の空調システムが実用化されている。
【先行技術文献】
【特許文献】
【０００３】
【特許文献１】特許第３０３００２２号公報
【特許文献２】特開２００２−１８０５５８号公報
【発明の概要】
【発明が解決しようとする課題】
【０００４】
しかしながら、前述のような従来の地中熱と熱交換させた空気を利用して建物内の空調を行うシステムは、いずれも、各部屋の内部の全体を空調することを目的とするものであるため、前記地中のパイプ中で地中熱と熱交換された空気を、いったん建物の床下空間や建物の外壁内部の空間に送り、その後に、各部屋に供給し、各部屋の内壁面中の所定の場所に配置された供給口から各部屋の内部の全体に向けて供給するというものであった。
【０００５】
このように、従来の地中熱と熱交換させた空気を利用して建物内の空調を行うシステムは、前述のように、建物内の各部屋の内部全体の空調を行なうものであるから、屋外の街路や公園などにおける任意の場所又はスポットに居る人のために、地中熱と熱交換された空気を集中的に放出することは、できなかった。また、従来の地中熱と熱交換させた空気を利用して建物内の空調を行うシステムは、前述のように、前記熱交換された空気を建物内の各部屋の内壁面に配置された供給口から各部屋の内部の全体に向けて供給するものであるから、建物内の任意の場所又はスポットに居る人のために、前記の地中熱と熱交換された空気を集中的に放出することは、できなかった。さらに、従来の地中熱と熱交換させた空気を利用して建物内の空調を行うシステムにおいて、もし建物内の任意の場所又はスポットに居る人のために、前記の地中熱と熱交換された空気を集中的に放出させようとする場合は、予め内壁面中に配置された供給口などと前記任意の場所又はスポットとをパイプなどで接続する工事が必要になるため、多大なコストが必要であった。
【０００６】
本発明はこのような従来技術の問題点に着目して為されたものであって、屋外の街路や公園などの任意の場所又はスポットにおいて、その場所に居る人のために、地中熱と熱交換された空気から成る快適な冷風又は温風を集中的に放出すること、さらに、建物内の任意の場所又はスポットに居る人のために、地中熱と熱交換された空気から成る快適な冷風又は温風を集中的に且つ低コストで放出することができる、自然力を利用した冷温風供給装置を提供することを目的とするものである。
【課題を解決するための手段】
【０００７】
以上のような課題を解決するための本発明による冷温風供給装置は、地中に埋設される地中パイプであって、屋外の空気を自らの内部に導入し、前記空気を地中熱と熱交換させる地中パイプと、屋外の地盤面から上方に突設された筒状体であって、自らの下方部分が前記地中パイプの上方部分と直接に又は接続部を介して接続され且つ固定されており、自らの内部に前記地中パイプから導入した空気を流通させる流路を備えており、自らの側面又は上方の端部に前記流路からの空気を自らの上方、側方、下方、斜め下方向、又は斜め上方向に放出する１つ又は複数の放出口を備えている筒状体と、前記筒状体の内部に配置される送風機であって、屋外の空気を前記地中パイプ内に導入し、前記地中パイプ内の空気を前記筒状体内の流路に導入して流通させ、前記流通した空気を前記放出口から外部に放出する送風機と、を備え、前記筒状体の外側には、前記筒状体を覆う、岩、庭石、又は装飾用立体造形物が配置されており、前記岩、庭石、又は装飾用立体造形物には、前記筒状体からの空気を外部に放出する隙間又は開口部が配置又は形成されているものである。
【０００８】
また、本発明による自然力を利用した冷温風供給装置においては、地中に埋設される地中パイプであって、屋外の空気を自らの内部に導入し、前記空気を地中熱と熱交換させる地中パイプと、屋外の地盤面から上方に突設された筒状体であって、自らの下方部分が前記地中パイプの上方部分と直接に又は接続部を介して接続され且つ固定されており、自らの内部に前記地中パイプから導入した空気を流通させる流路を備えており、自らの側面又は上方の端部に前記流路からの空気を自らの上方、側方、下方、斜め下方向、又は斜め上方向に放出する１つ又は複数の放出口であって、「屋外の、前記筒状体の側方の近傍の領域」に居る人に、前記空気が供給されるように、前記空気を放出する放出口を備えている筒状体と、前記筒状体の内部に配置される送風機であって、屋外の空気を前記地中パイプ内に導入し、前記地中パイプ内の空気を前記筒状体内の流路に導入して流通させ、前記流通した空気を前記放出口から外部に放出する送風機と、を備えたものであってもよい。
【０００９】
また、本発明による自然力を利用した冷温風供給装置は、地中に埋設される地中パイプであって、屋外の空気を自らの内部に導入し、前記空気を地中熱と熱交換させる地中パイプと、屋外の地盤面から上方に突設された筒状体であって、自らの下方部分が前記地中パイプの上方部分と直接に又は接続部を介して接続され且つ固定されており、自らの内部に前記地中パイプから導入した空気を流通させる流路を備えており、自らの側面又は上方の端部に前記流路からの空気を自らの上方、側方、下方、斜め下方向、又は斜め上方向に放出する１つ又は複数の放出口を備えている筒状体と、前記筒状体の内部に配置される送風機であって、屋外の空気を前記地中パイプ内に導入し、前記地中パイプ内の空気を前記筒状体内の流路に導入して流通させ、前記流通した空気を前記放出口から外部に放出する送風機と、前記筒状体の上方部分にそこから上方に突出するように固定された屋根部であって、前記筒状体の側方の近傍の領域に居る人が雨に濡れることを防止する屋根部と、を備えたものである。
【００１０】
また、本発明による自然力を利用した冷温風供給装置においては、前記屋根部に、前記筒状体からの空気を、自らの内部に流通させ、自らの下面又は外周縁部の放出口から下方又は斜め下方向に放出する放出口が備えられていてもよい。
【００１１】
また、本発明による自然力を利用した冷温風供給装置においては、前記屋根部の上方に、前記送風機を駆動するための電力を発生させる太陽電池パネルが配置されていてもよい。
【発明の効果】
【００１２】
以上のように、本発明においては、前記筒状体の外側に、前記筒状体を覆うように、岩又は庭石などの装飾用有体物を配置するようにし、且つ前記岩、庭石、又は立体造形物に前記筒状体からの空気を外部に放出する隙間を配置又は形成するようにしている。よって、本発明によれば、前記筒状体からの前記熱交換された空気が、快適な冷風又は温風として、前記岩、庭石、又は立体造形物の隙間から、前記岩、庭石、又は立体造形物の近傍に居る人に供給されるようになるので、前記岩、庭石、又は立体造形物の近傍に居る人から見て、あたかも当該の岩又は庭石などの装飾用有体物の一部（隙間）から快適な冷風又は温風が吹き出ているかのような極めて興趣深い外観が、作出されるようになる。
【００１３】
また、本発明によれば、前記地中パイプの上方部分と前記筒状体の下方部分とが直接に又は接続部を介して互いに空気流通可能に接続され且つ互いに固定されているので、本発明による装置を屋外又は建物内の任意の場所又はスポットに設置するようにしたときは、装置の設置工事やメンテナンスが極めて容易かつ効率的にできるようになる。
【００１４】
また、本発明において、前記筒状体の上方部分に、前記筒状体からの空気を流通させて外部に放出できる屋根部を固定するようにしたときは、前記筒状体の近傍に居る人は、雨に濡れるのを防ぎながら、前記放出口からの快適な冷風又は温風の供給を受けることができる。
【００１５】
また、本発明において、前記筒状体の上方部分に、前記筒状体からの空気を流通させて外部に放出できる屋根部を接続するようにしたときは、前記筒状体の近傍に居る人のために、前記屋根部で雨に濡れるのを防ぎながら、前記筒状体からの空気を、快適な冷風又は温風として、前記屋根部の下方に供給できるようになる。
【００１６】
また、本発明において、前記地中パイプの上方部分と前記筒状体の下方部分とが直接に又は接続部を介して互いに空気流通可能に接続され且つ互いに固定されるようにし、本発明による装置を屋外の任意の場所又はスポットに設置するようにしたときは、地中熱と熱交換された後の屋外の空気から成る快適な冷風又は温風を、前記屋外の任意の場所又はスポットに居る人に向けて、集中的に、極めて低コストで、供給することができるようになる。
【００１７】
さらに、本発明において、前記筒状体の上方に、前記送風機を駆動するための電力を発生させる太陽電池パネルを配置するようにしたときは、本発明の装置を、外部の商用電源から電力を供給することなく、太陽光及び地中熱という自然エネルギーだけで、長期間、駆動させ続けることができる。
【図面の簡単な説明】
【００１８】
【図１】本発明の実施形態による冷温風供給装置を説明するための概念図である。
【図２】本発明の実施例１を説明するための概略図である。
【図３】本発明の実施例２を説明するための概略図である。
【図４】本発明の実施例３を説明するための概略図である。
【図５】本発明の実施例４を説明するための概略図である。
【図６】本発明の実施例５を説明するための概略図である。
【図７】本発明の実施例６を説明するための概略図である。
【図８】本発明の実施例７を説明するための概略図である。
【図９】本発明の実施例８を説明するための概略図である。
【図１０】本発明の実施例９を説明するための概略図である。
【図１１】本発明の実施例１０を説明するための概略図である。
【図１２】本発明の実施例１１を説明するための概略図である。
【図１３】本発明の実施例１２を説明するための概略図である。
【図１４】本発明の実施例１３を説明するための概略図である。
【図１５】本発明の実施例１４を説明するための概略図である。
【発明を実施するための形態】
【００１９】
以下、本発明の実施形態を図１を参照して説明する。図１は、本発明の実施形態に係る自然力を利用した冷温風供給装置を説明するための概念図である。図１において、１は地中の例えば約５ｍまで埋設される地中パイプ、１ａは前記地中パイプ１を構成する外側パイプであってその下端部１ａａが閉塞されている外側パイプ１ａ、１ｂは前記地中パイプ１を構成する内側パイプであって前記外側パイプ１ａの内部に前記外側パイプ１ａと略同軸状に配置される内側パイプである。前記内側パイプ１ｂは、その下端部１ｂａが開放されており、前記下端部１ｂａが前記外側パイプ１ａの底部（前記下端部１ａａの上面側部分）に対して所定の隙間１ｃを有するように配置されており、且つその外壁面が前記外側パイプ１ａの内壁側面に対して所定の隙間１ｄを有するように配置されている。
【００２０】
なお、図１においては、前記地中パイプ１は地中に向かって略直線状に延びる形状としているが、本発明では、前記地中パイプを、地盤面又は床面に対して略直線状に延びるものだけでなく、地盤面又は床面に対して略水平方向に延びる部分を含む略Ｌ字状の形状、部分的に湾曲している略Ｕ字状の形状、複数箇所が折れ曲がっている形状など、様々な形状とすることが可能である。また前記地中パイプ１は、平断面が円形のものが望ましいが、これに限られるものではなく、例えば平断面が多角形状のものをも含む。
【００２１】
次に、図１において、２は地上から突出するように設けられ、その下端部が前記外側パイプ１ａの上端部と接続され固定されている略タワー状の筒状体である。また図１において、３は前記筒状体２の内部に配置され、前記地中パイプ１からの空気が流通する流路を形成するためのパイプである。前記パイプ３の下端部は、前記地中パイプ１中の内側パイプ１ｂの上端部と接続され固定されている。
【００２２】
なお、図１においては、前記筒状体２は、地上から上方に向かって略直線状に延びる形状としているが、本発明では、前記筒状体を、地盤面又は床面に対して略直線状に延びるものだけでなく、地盤面又は床面に対して略水平方向に延びる部分を含む略Ｌ字状の形状、部分的に湾曲している略Ｕ字状の形状、複数箇所が折れ曲がっている形状など、様々な形状とすることが可能である。また、前記筒状体２は、平断面が円形のものが望ましいが、これに限られるものではなく、例えば平断面が多角形状のものをも含む。
【００２３】
また、図１において、４は前記筒状体２の上端部に固定された延長流路部（又は屋根部）である。前記延長流路部（又は屋根部）４の内部には空洞部４ａが形成されている。前記空洞部４ａは、前記パイプ３の上端の開口部に接続されている。前記延長流路部（又は屋根部）４の外周縁部の端面には、前記端面の全部又は一部が開口されることにより、放出口４ｂが形成されている。
【００２４】
また、図１において、５は前記筒状体２の下端部に形成された導入口であって屋外の空気を前記地中パイプ１中の隙間１ｄ内に導入するための導入口、６ａ，６ｂ，６ｃはそれぞれ前記パイプ（流路）３内の空気を前記筒状体２の外部（屋外）に放出する放出口、７は前記パイプ３の途中部分に介設されたファンであって屋外の空気を前記地中パイプ１内に導入し流通させて地中熱と熱交換させ、前記熱交換させた空気を上昇させて前記筒状体２内のパイプ３中に送り、前記パイプ３内の空気を前記放出口４ｂ及び前記各放出口６ａ〜６ｃから外部に放出させるファンである。
【００２５】
次に本実施形態の動作を説明する。図１に示す装置において、前記ファン７が駆動されると、屋外の空気が、前記地中パイプ１中の隙間１ｄ内に導入される（矢印ａ参照）。前記隙間１ｄ内に導入された空気は、前記ファン７の力により下降させられる（矢印ｂ参照）。前記下降した空気は、前記外側パイプ１ａの底部に当たった後、反転して、前記内側パイプ１ｂの内部に導入される（矢印ｃ参照）。前記内側パイプ１ｂの内部に導入された空気は、前記ファン７の力により上昇させられ、前記筒状体２内のパイプ３内に導入され、前記パイプ３内を流通する（矢印ｄ参照）。前記パイプ３内を流通する空気は、前記ファン７の力により、前記放出口６ａから斜め上方向に放出させられ（矢印ｅ参照）、前記放出口６ｂから側方（水平方向）に放出させられ（矢印ｆ参照）、前記放出口６ｃから斜め下方向に放出させられる（矢印ｇ参照）。また前記パイプ３内を流通する空気は、前記ファン７の力により、前記延長流路部（又は屋根部）４の空洞部４ａ内に導入させられ（矢印ｈ参照）、前記空洞部４ａ内を流通した後、前記放出口４ｂから下方に放出させられる（矢印ｉ参照）。
【００２６】
以上のような動作により、本実施形態では、屋外又は建物内の任意の場所又はスポットに居る人のために、屋外の空気が地中熱と熱交換された後の快適な冷風又は温風を、集中的に供給することが可能になる。
【００２７】
また本実施形態によれば、前記地中パイプ１とその上方の筒状体２（前記空気の流路となる前記パイプ３を含む）とが互いに空気流通可能に接続され且つ互いに固定されているので、本実施形態に係る装置の屋外又は建物内の任意の場所又はスポットへの設置工事又はメンテナンスを、極めて容易かつ効率的に行なうことができる。したがって、本実施形態によれば、前記屋外又は建物内の任意の場所又はスポットに居る人のために、屋外の空気が地中熱と熱交換された後の快適な冷風又は温風を集中的に供給することを、極めて低コストで行えるようになる。
【００２８】
さらに、本実施形態では、前記筒状体２の上方に、前記延長流路部（又は屋根部）４を備えるようにしているので、本実施形態に係る装置を屋外に設置したときは、前記筒状体２の側面の近傍の領域に居る人に対して、雨に濡れるのを防ぎながら、上方から心地よい冷風又は温風を供給できるようになる。
【実施例１】
【００２９】
本発明の実施例１を図２を参照して説明する。図２において、図１に示す要素と共通又は類似する部分には同一の符号を付して説明を省略する。本実施例１は、例えばテーマパークや遊園地などに設置されるのに適した冷温風供給装置である。図２に示すように、本実施例１においては、地中パイプ１の上端部分と筒状体２の下端部分とが接続部１１を介して互いに空気流通可能に接続され固定されている。前記筒状体２には、前記地中パイプ１からの空気を流通させる流路となるパイプ材などから構成される空洞部（図示省略）が形成されている。前記接続部１１及び筒状体２の周囲は、地上に固定された筒状カバー１２で覆われている。前記筒状カバー１２の上面には、太陽電池パネル１３が取り付けられている。前記太陽電池パネル１３からの電力により前記ファン７が駆動される。前記ファン７により、屋外の空気が、前記筒状カバー１２の下方部分に形成された導入口５から前記地中パイプ１内に導入され、前記地中パイプ１内で熱交換され、前記筒状体２内に導入され前記筒状体２内を流通した後、前記筒状体２の上端部の放出口６から、前記筒状カバー１２の開口部を介して、外部に放出される。また、前記筒状カバー１２の前記放出口６側の側面には、周辺の施設の渋滞情報その他の案内情報を外部から無線で受信して表示するディスプレイ１４が取り付けられている。前記ディスプレイ１４も前記太陽電池パネル１３が発電した電力により駆動されている。
【実施例２】
【００３０】
本発明の実施例２を図３を参照して説明する。図３において、図１に示す要素と共通又は類似する部分には同一の符号を付して説明を省略する。本実施例２は、例えば動物園などに設置されるのに適した冷温風供給装置である。図３に示すように、本実施例２においては、地中パイプ１の上端部分と筒状体２の下端部分とが互いに空気流通可能に接続され固定されている。本実施例２においては、前記筒状体２の上面に太陽電池パネル１３が取り付けられている。前記太陽電池パネル１３からの電力により前記筒状体２内のファンが駆動されている。
【実施例３】
【００３１】
本発明の実施例３を図４を参照して説明する。図４において、図１に示す要素と共通又は類似する部分には同一の符号を付して説明を省略する。本実施例３は、例えば公園内に設置されるのに適した冷温風供給装置である。本実施例３においては、地中パイプ１の上端部分と２本の細長い棒状の筒状体１６の下端部分とが、互いに空気流通可能に接続され固定されている。すなわち、本実施例３では、地中パイプ１の上端部分と略棒状の筒状体１６の下端部分とが、図４に示すように、水平面において互いに位置がずれている（離れている）が、上記各部分の間は、図示しない接続部（接続用パイプなど）により、互いに空気流通可能に接続され固定されている。また、図４に示すように、前記筒状体１６の上方部分１６ａが略Ｕ字状に湾曲されて、その略Ｕ字状に折れ曲がった先端の開口端が下方を向くように構成されている。前記開口端により放出口１６ｂが形成されている。よって、本実施例３では、前記地中パイプ１で熱交換された後の空気が、快適な冷風又は温風として、前記放出口１６ｂから、前記筒状体１６の近傍の人に、供給される。
【実施例４】
【００３２】
本発明の実施例４を図５を参照して説明する。図５において、図１に示す要素と共通又は類似する部分には同一の符号を付して説明を省略する。本実施例４は、例えば道路や公園内に設置されるのに適した冷温風供給装置である。本実施例４においては、地中パイプ（図示省略）の上端部分と略棒状の筒状体１７の下端部分とが互いに空気流通可能に接続され固定されている。図６に示すように、前記筒状体１７の上方部分１７ａの２箇所は、それぞれ略９０度に折り曲げられることにより、前記筒状体１７の先端の開口端が下方を向くように構成されている。前記開口端により放出口１７ｂが形成されている。よって、本実施例４では、前記地中パイプ１で熱交換された後の空気が、快適な冷風又は温風として、前記放出口１７ｂから下方に向けて、放出される。
【実施例５】
【００３３】
本発明の実施例５を図６を参照して説明する。図６において、図１に示す要素と共通又は類似する部分には同一の符号を付して説明を省略する。本実施例５は、例えば道路や公園内に設置されるのに適した冷温風供給装置である。本実施例５においては、地中パイプ（図示省略）の上端部分と略棒状の筒状体１８の下端部分とが互いに空気流通可能に接続され固定されている。本実施例５では、前記筒状体１８の上方部分に、前記筒状体１８内の空気を外周方向に放出可能な空洞状の放出口１８ａが形成されている。前記放出口１８ａの内部の空洞部には、複数の穴が不規則に開けられた球体１８ｂが配置されている。よって、本実施例５では、前記地中パイプ１で熱交換された後の空気が、前記球体１８ｂにより、その流れの速さや強さが不規則に変化させられた空気流となって、前記放出口１８ａからその外周方向に放出される。
【実施例６】
【００３４】
本発明の実施例６を図７を参照して説明する。図７において、図１に示す要素と共通又は類似する部分には同一の符号を付して説明を省略する。本実施例６は、例えば道路や公園内に設置されるのに適した冷温風供給装置である。本実施例６においては、地中パイプ（図示省略）の上端部分と略棒状の筒状体１９の下端部分とが互いに空気流通可能に接続され固定されている。本実施例６では、前記筒状体１９の上方部分に、前記筒状体１９内の空気を外周方向に放出可能な３つの放出口１９ａ，１９ｂ，１９ｃが、それぞれ、外周方向において互いに所定の距離を介するように、配置されている。本実施例６において、前記放出口１９ａは、前記筒状体１９内からの空気を１つの細い線状に集中させて強くかつ速く流すように、構成されている。また、前記放出口１９ｂは、前記筒状体１９内からの空気を多数の穴からそれぞれシャワー状に弱く且つ遅い速度で流すように、構成されている。さらに、前記放出口１９ｃは、前記筒状体１９内からの空気を渦巻き状に流すように、構成されている。以上のように、本実施例７では、前記筒状体１９の近傍に居る人が、前記筒状体１９内から放出される空気流のタイプを、前記各放出口１９ａ，１９ｂ，及び１９ｃのいずれかの前に立つことにより、選択することができる。
【実施例７】
【００３５】
本発明の実施例７を図８を参照して説明する。図８において、図１に示す要素と共通又は類似する部分には同一の符号を付して説明を省略する。本実施例７は、例えば公園内に設置されるのに適した冷温風供給装置である。本実施例７においては、地中パイプ（図示省略）の上端部分と略棒状の筒状体２０の下端部分とが互いに空気流通可能に接続され固定されている。本実施例７では、前記筒状体２０の側面の複数箇所に、それぞれ、前記筒状体２０内からの空気を外周方向に放出可能な放出口２０ａが形成されている。また、本実施例７においては、前記略棒状の筒状体２０は、人が腰掛けるのに適した平面と高さを有するように形成されている。よって、本実施例７を使用するときは、前記筒状体２０の近傍に居る人は、前記筒状体２０の上に腰掛けて休みながら、前記筒状体２０の側面の放出口２０ａから放出される、地中熱と熱交換された後の快適な空気を、受けることができる。
【実施例８】
【００３６】
本発明の実施例８を図９を参照して説明する。図９において、図１に示す要素と共通又は類似する部分には同一の符号を付して説明を省略する。本実施例８は、例えば道路や公園内に設置されるのに適した冷温風供給装置である。本実施例８においては、複数の地中パイプ１が、例えば道路の長手方向に沿って、互いに所定間隔を介して、地中に埋設されている。前記複数の地中パイプ１の上端部分は、それぞれ、複数の略棒状の筒状体２１の下端部分と互いに空気流通可能に接続され固定されている。本実施例８では、前記各筒状体２１の上方部分に、前記筒状体２１内の空気を側方に放出可能な放出口２１ａがそれぞれ形成されている。よって、本実施例８においては、道路や公園内を通行している人は、通行する過程で、前記複数の筒状体２１の各放出口２１ａから、地中熱と熱交換された後の快適な空気を、断続的に、受けることができる。
【実施例９】
【００３７】
本発明の実施例９を図１０を参照して説明する。図１０において、図１に示す要素と共通又は類似する部分には同一の符号を付して説明を省略する。本実施例９は、例えば公園や建物内に設置される児童用の遊戯室（キッズ・ルーム）や喫煙室の中に設置されるのに適した冷温風供給装置である。図１０において、２２は公園や建物内に設置された児童用の遊戯室（キッズ・ルーム）である。本実施例９においては、前記遊戯室２２の略中央の地中に地中パイプ１が埋設されている。前記地中パイプ１の上方の位置には、略棒状の筒状体２３が前記遊戯室２２の屋根に向かって突設されている。前記地中パイプ１の上方端部と前記筒状体２３の下方端部とは、互いに空気流通可能に接続され固定されている。前記筒状体２３の中央より少し下方の部分には、前記筒状体２３内の空気を側方に放出可能な放出口２３ａが形成されている。よって、本実施例９においては、前記遊戯室２２内で遊んでいる児童に、前記筒状体２３の放出口２３ａから、地中熱と熱交換された後の快適な空気を供給することができる。
【実施例１０】
【００３８】
本発明の実施例１０を図１１を参照して説明する。図１１において、図１に示す要素と共通又は類似する部分には同一の符号を付して説明を省略する。本実施例１０は、例えば動物園や公園などに設置されるのに適した冷温風供給装置である。本実施例１０においては、動物園の任意の場所の地中に地中パイプ１が埋設されている。前記地中パイプ１の上方の位置には、略棒状の筒状体（図示省略）が地上から突設されている。前記筒状体（図示省略）の周囲には、複数の天然岩２４が、前記筒状体（図示省略）を覆うように、配置されている。本実施例１０では、前記複数の天然岩２４の間の隙間により、前記筒状体（図示省略）からの空気が放出可能な開口部２４ａが、形成されている。よって、本実施例１０においては、前記複数の天然岩２４により前記筒状体（図示省略）を覆いながら、前記筒状体（図示省略）からの快適な空気（前記地中熱１で地中と熱交換された空気）を、前記複数の天然岩２４の間の隙間から成る開口部２４ａから、その周囲に放出することができる。よって、本実施例１０によれば、いかにも、複数の天然岩２４の間の隙間（前記開口部２４ａ）から快適な冷風又は温風が放出されているかのような興趣深い外観を、作出することができる。
【実施例１１】
【００３９】
本発明の実施例１１を図１２を参照して説明する。図１２において、図１に示す要素と共通又は類似する部分には同一の符号を付して説明を省略する。本実施例１１は、例えば公園や寺院などに設置されるのに適した冷温風供給装置である。本実施例１１においては、公園や寺院の任意の場所の地中に地中パイプ１が埋設されている。前記地中パイプ１の上方の位置には、略棒状の筒状体（図示省略）が地上から突設されている。前記筒状体（図示省略）の周囲には、「犬」の外観に類似した装飾用の立体造形物（前記「犬」の立体造形物が置かれる台座を含む）２５が、前記筒状体（図示省略）を覆うように、配置されている。前記立体造形物２５の図示上方の「犬の口」に対応する部分には、前記筒状体２からの空気を放出可能な開口部２５ａが形成されている。よって、本実施例１１においては、前記立体造形物２５により前記筒状体（図示省略）を覆いながら、前記筒状体（図示省略）からの快適な空気（前記地中熱１で地中と熱交換された空気）を、前記立体造形物２５の開口部２５ａ（前記「犬の口」に対応する部分）から、その周囲に放出することができる。よって、本実施例１１によれば、いかにも、前記の「犬」を模した立体造形物２５中の「犬の口」（前記開口部２５ａ）から快適な冷風又は温風が放出されているかのような興趣深い外観を、作出することができる。
【実施例１２】
【００４０】
本発明の実施例１２を図１３を参照して説明する。図１３において、図１に示す要素と共通又は類似する部分には同一の符号を付して説明を省略する。図１３において、１は地中に埋設されており屋外からの空気を地中熱と熱交換させる地中パイプ１である。前記地中パイプ１の上方端部には、地上に固定され、前記地中パイプ１からの空気を導入して流通させる筒状体（図示省略）が接続され固定されている。前記筒状体（図示省略）の上方端部には屋根部２６が配置されている。前記屋根部２６には、前記筒状体２からの空気が導入される空洞部２６ａが形成されている。前記屋根部２６の外周縁部には、前記屋根部２６内の空洞部２６ａからの空気を外部に放出する放出口２６ｂが形成されている。前記屋根部２６の上面には、前記筒状体内に配置されたファン７などを駆動するための電力を発生させる太陽電池パネル２７が配置されている。
【００４１】
また図１３において、２８は前記太陽電池パネル２７で発電された電力を蓄電するバッテリー、２９は前記太陽電池パネル２７からの電力を前記バッテリー２８に蓄電するために作動するバッテリーチャージコントローラ、３０は前記バッテリー２８に蓄電された直流電力を交流電力に変換させて前記ファン７に供給するＤＣ−ＡＣインバータ、３１は前記地中パイプ１の外側パイプの底部に溜まった水の量（ドレンの水位）を測定するドレン水位センサ、３２は前記地中パイプ１の外側パイプの底部に溜まった水（ドレン）を外部に排出するためのドレン水排水ポンプ、３３はマイクロコンピュータなどで構成される制御装置である。前記バッテリー２８からの電力は、前記制御装置３３にも供給されている。前記制御装置３３は、外気温度データ及び太陽電池パネル２７の発電状況を示すデータなどに基づいて、前記ＤＣ−ＡＣインバータ３０及び前記バッテリーチャージコントローラ２９を制御する。また前記制御装置３３は、前記ドレン水位センサ３１からの測定水位データに基づいて、前記ドレン水排水ポンプ３２の駆動を制御する。
【００４２】
本実施例１２では、前記太陽電池パネル２７からの電力だけで、前記ファン７、前記制御装置３３、バッテリーチャージコントローラ２９、ＤＣ−ＡＣインバータ、ドレン水位センサ３１、及びドレン水排水ポンプ３２を作動させている。よって、本実施例１２によれば、外部の商用電源を使用しなくても、極めて長期間、前記太陽電池パネル２７からの電力だけで作動を継続することができる。
【実施例１３】
【００４３】
本発明の実施例１３を図１４を参照して説明する。図１４において、図１に示す要素と共通又は類似する部分には同一の符号を付して説明を省略する。本実施例１３は、例えば動物園や公園などに設置されるのに適した冷温風供給装置である。本実施例１３においては、動物園や公園の任意の場所の地中に地中パイプ１が埋設されている。前記地中パイプ１の上方の位置には、略棒状の筒状体２が地上から突設されている。前記筒状体２の略中央には、前記地中パイプ１から導入され前記筒状体２内を流通した空気を外部に放出する放出口６が形成されている。本実施例１３では、前記筒状体２の上方に、略水平方向に延びる略平板状の屋根部３４が配置されている。すなわち、本実施例１３では、前記筒状体２の上端部と、前記屋根部３４内の空洞部（図示省略）とが、前記接続部３５を介して、互いに空気流通可能に接続され且つ固定されている。前記略平板状の屋根部３４の下面の複数箇所には、それぞれ、前記屋根部３４内の空洞部を流れる空気を、図示下方（人が居る方向）に向かって放出する放出口３４ａが形成されている。よって、本実施例１３においては、前記地中パイプ１からの空気を、前記筒状体２及び前記接続部３５を介して前記略平板状の屋根部３４に供給することにより、前記略平板状の屋根部３４の下面の複数箇所から、前記屋根部３４の下方の比較的広い領域に、前記地中パイプ１内で地中熱と熱交換された後の快適な空気を、供給することができる。また、本実施例１３においては、前記筒状体２の上方に前記屋根部３４を備えているので、前記筒状体２の近傍に居る人は、前記屋根部３４により、雨に濡れるのを防ぎながら、上方から心地よい冷風又は温風を受けることができる。
【実施例１４】
【００４４】
本発明の実施例１４を図１５を参照して説明する。図１５において、図１に示す要素と共通又は類似する部分には同一の符号を付して説明を省略する。本実施例１４は、例えば野球場のダッグアウト（選手や監督の控え席が設けられた施設）内に設置されるのに適した冷温風供給装置である。図１５に示すように、本実施例１４においては、地中に埋設された地中パイプ１の上端部分とその上方の筒状体２の下端部分とが、互いに空気流通可能に接続され固定されている。また、本実施例１４においては、前記の図示上下方向に延びる筒状体２の上端部が、図示水平方向に延びる略棒状の延長流路部３６の端部に、空気流通可能に接続されている。前記筒状体２から前記延長流路部３６内に送られた空気は、前記延長流路部３６の側面の複数箇所に形成された放出口３６ａから、図示斜め下方に放出される。本実施例１４において、前記延長流路部３６は、前記筒状体２内の空気が流通する流路を、前記筒状体２から離れた場所まで延長させるためのものである。
【００４５】
以上、本発明の実施形態及び各実施例について説明したが、本発明は前記実施形態及び各実施例として述べたものに限定されるものではなく、様々な修正及び変更が可能である。例えば、前記実施形態及び各実施例においては、本発明による冷温風供給装置を主として屋外に設置する場合を示したが、本発明は、建物内の任意の場所、例えば、建物内の厨房の中、脱衣場の中など、様々な場所に配置することができる。また、前述のように、本発明における地中パイプ及び筒状体は、地盤面又は床面に対して略直線状に延びるものだけでなく、地盤面又は床面に対して略水平方向に延びる部分を含む略Ｌ字状の形状、部分的に湾曲している略Ｕ字状の形状、複数箇所が折れ曲がっている形状など、様々な形状とすることが可能である。また、前述のように、本発明における地中パイプ及び筒状体は、平断面が円形のものに限らず、平断面が多角形状のものをも含む。また、前記各実施例においては、前記地中パイプ１と前記筒状体２とが互いに水平面において一致している（水平面において重なっている）場合を主として示した（一部にそうでないものも示した）が、本発明では、前記地中パイプ１と前記筒状体２とが互いに水平面において一致しておらず（水平面において重なっておらず）、所定の接続部（例えば水平方向に延びる接続用パイプなど）を介することにより、互いに空気流通可能に接続され且つ固定されている場合をも含むものである。
【符号の説明】
【００４６】
１     地中パイプ
１ａ   外側パイプ
１ａａ 外側パイプの下端部
１ｂ   内側パイプ
１ｂａ 内側パイプの下端部
１ｃ，１ｄ    隙間
２，１６，１７，１８，１９，２０，２１，２３      筒状体
３    パイプ
４，２６，３４ 屋根部
４ａ，２６ａ  空洞部
４ｂ，６，６ａ，６ｂ，６ｃ，１６ｂ，１７ｂ，１８ａ，１９ａ，１９ｂ，１９ｃ，２０ａ，２１ａ，２３ａ，２６ｂ，３６ａ 放出口
５     導入口
７     ファン
１１，３５    接続部
１２   筒状カバー
１３，２７    太陽電池パネル
１４   ディスプレイ
１６ａ，１７ａ 筒状体の上方部分
１８ｂ 球体
２２   遊戯室
２４   天然岩
２５   立体造形物
２４ａ，２５ａ 開口部
２８   バッテリー
２９   バッテリーチャージコントローラ
３０   ＤＣ−ＡＣインバータ
３１   ドレン水位センサ
３２   ドレン水排水ポンプ
３３   制御装置
３６   延長流路部
【要約】
【目的】屋外の街路や公園などの任意の場所又はスポットに居る人に、地中熱と熱交換された空気から成る快適な冷風又は温風を、集中的に且つ低コストで供給することができる、自然力を利用した冷温風供給装置を提供する。
【構成】地中に埋設されており、内部の空気を地中熱と熱交換させる地中パイプと、屋外の地盤面又は建物内の床面から上方に突設された筒状体であって、前記地中パイプからの空気を自らの内部に流通させ、前記流通させた空気を自らの放出口から上方、側方、下方、斜め下方向、又は斜め上方向に放出する筒状体と、屋外の空気を前記地中パイプ内に導入させ、前記空気を前記筒状体内に導入させ、前記導入させた空気を前記筒状体内で流通させて前記放出口から外部に放出する送風機とを備えている。
【選択図】    図１【図１】
0005771319.tif 000002
【図２】
0005771319.tif 000003
【図３】
0005771319.tif 000004
【図４】
0005771319.tif 000005
【図５】
0005771319.tif 000006
【図６】
0005771319.tif 000007
【図７】
0005771319.tif 000008
【図８】
0005771319.tif 000009
【図９】
0005771319.tif 000010
【図１０】
0005771319.tif 000011
【図１１】
0005771319.tif 000012
【図１２】
0005771319.tif 000013
【図１３】
0005771319.tif 000014
【図１４】
0005771319.tif 000015
【図１５】
0005771319.tif 000016